(57)【要約】【課題】  本発明は給紙装置における紙の重送防止を目的とする。【解決手段】  図３（ａ）の状態から分離ローラ１１が回転されると、従来と同様、複数枚の記録紙５が分離パッド１３に突入する（図３（ｂ））。この結果、複数枚の記録紙５が分離パッド１３と分離ローラ１１の間に入り込むが、分離パッド１３が凹部３３に向かって凹むことにより、ホルダ１５が揺動することなく複数枚の記録紙を止めることができる（図３（ｃ））。こうして止められた複数枚の記録紙５は、分離パッド１３に止められて１枚ずつ分離されて搬送される（図３（ｄ））。従って重送が防がれる。【選択図】  図３
2005255385.tif 000002
【特許請求の範囲】
【請求項１】
積載された用紙に外周面が当接される分離ローラと、
前記用紙を搬送する際に、該用紙の、前記外周面が当接する面と反対の面に接触する弾性を有するパッドと、
前記分離ローラに対して近接・離反する方向に移動可能な部材であり、前記パッドを支持するホルダと、
前記パッドが前記分離ローラの外周面に接する方向に前記ホルダを付勢する付勢手段と、
を備え、前記分離ローラを回転させることにより、前記積載された用紙を１枚ずつ分離して搬送する給紙装置において、
前記ホルダは、
前記搬送時に前記パッドと前記分離ローラとで前記用紙を挟持する加圧位置よりも前記搬送の方向において下流側に配置され、前記パッドを支持する支持手段と、
前記加圧位置よりも前記搬送の方向において上流側に形成され、前記パッドの前記用紙と接触する面と反対の面を当該ホルダから浮いた状態にする凹部と
を備えたことを特徴とする給紙装置。
【請求項２】
前記支持手段が、前記パッドを載置する前記ホルダの載置面に突設された鉤部であり、
前記パッドが、前記鉤部に整合する位置に形成された穴を有する
ことを特徴とする請求項１に記載の給紙装置。
【請求項３】
前記支持手段が、前記パッドを粘着支持する
ことを特徴とする請求項１または２に記載の給紙装置。
【請求項４】
前記パッドが、前記用紙と接触する面と反対の面に当該パッドの剛性を高くする膜状部材が貼着されたことを特徴とする請求項１から３の何れかに記載の給紙装置。
【請求項５】
前記凹部に関して前記支持手段の反対側に形成され、前記パッドの前記用紙と接触する面と反対の面に接触し支持する接触部
を備えたことを特徴とする請求項１から４の何れかに記載の給紙装置。
【請求項６】
前記ホルダは、前記搬送の方向において、前記加圧位置よりも下流側に揺動支点を有し、前記分離ローラに対して近接・離反する方向に揺動可能であることを特徴とする請求項１から５の何れかに記載の給紙装置。
【請求項７】
積載された用紙を保持する用紙トレーと、
用紙の搬送方向における先端部が当接する当接壁とを有し、
該当接壁が用紙と当接する面である当接面が、搬送方向に対して該搬送の下流側が低くなるように傾斜していることを特徴とする請求項１から６の何れかに記載の給紙装置。
【請求項８】
前記パッドの、用紙と接触する面は、水平方向に対して搬送方向に沿って該搬送の下流側が低くなるように傾斜し、
前記当接壁の前記当接面は、前記パッドの、用紙と接触する面より水平方向に対して小さな角度で搬送方向に沿って傾斜することを特徴とする請求項７に記載の給紙装置。
【請求項９】
前記当接面は、前記当接壁の、前記分離ローラに対向しない位置から突設されたものであり、且つ該当接面の端部は、前記分離ローラの外周面よりも該分離ローラの中心方向に突出して形成されていることを特徴とする請求項７または８に記載の給紙装置。
【発明の詳細な説明】
【技術分野】
【０００１】
本発明は、ファクシミリ装置、プリンタ、コピー装置等に用いられる給紙装置に関するものである。
【背景技術】
【０００２】
従来より、こうした給紙装置が適用されたものとして、図９に示したようなファクシミリ装置８０が知られている。図９（ａ）はファクシミリ装置８０の給紙装置を示す図であり、図９（ｂ）は図９（ａ）のＤ部の拡大図である。このファクシミリ装置８０では、用紙トレー８２に載置された複数の記録紙８４が分離ローラ８６の回転（図９では反時計回り）により１枚ずつ給紙されるように構成されている。用紙トレー８２内の記録紙８４は、当接面８８に当接することにより、斜めに傾いた姿勢を保っている。分離ローラ８６の斜め下方（図９では左下）には分離パッド９０（分離片ともいう）が配置されており、これがホルダ９２に取り付けられている。ホルダ９２はその右位置を支点として揺動可能にされており、コイルバネ９４により付勢を受けて、分離パッド９０が分離ローラ８６に密着するように構成されている。記録紙８４は、この分離パッド９０・分離ローラ８６間に分け入るようにして分離され、搬送される。なお、当接面８８は幅方向（図９に垂直な方向）に亘って形成されているのではなく、分離ローラ８６の両脇と、用紙トレー８２の両端付近とに多数形成された小型のリブ状の部材である。
【０００３】
記録紙８４が、記録ヘッド９６まで搬送されると、リボン９８に塗布されたインクが転写され、画像が形成される。また、特許文献１にも分離パッドを用いて複数の用紙を分離する技術が開示されている。
【特許文献１】特開２００２−１３７８３８号公報
【発明の開示】
【発明が解決しようとする課題】
【０００４】
しかしながら、従来のファクシミリ装置８０では、当接面８８がファクシミリ装置の設置面（通常、水平面）に対して下方に傾いている（図９（ｂ）のβ）ため、圧板８９が矢印Ｅのように記録紙８４を押す必要があった。
【０００５】
当接面８８が図１０（ホルダ９２付近を拡大した図）に示すように傾斜されると、圧板８９が記録紙８４を押す必要はなくなる（図１０（ａ））が、分離ローラ８６が回転されると、複数枚の記録紙８４が分離パッド９０に突入し（図１０（ｂ））、更に複数枚の記録紙８４が分離パッド９０と分離ローラ８６の間に入り込み、これらの記録紙８４が分離パッド９０を押し下げる（図１０（ｃ））。これにより分離パッド９０と分離ローラ８６との間に隙間ができて記録紙８４が分離されなくなり重送が発生する（図１０（ｄ））。
【０００６】
尚、特許文献１は、分離ローラ（特許文献１内では給紙ローラ）が分離パッドから離れており、ここで適用しようとしている給紙装置とは構造がやや異なる。
本発明は、係る課題に鑑みなされたものであり、給紙装置における紙の重送を防止することを目的とする。
【課題を解決するための手段】
【０００７】
かかる課題を解決するためになされた本発明の請求項１に記載の給紙装置は、積載された用紙に外周面が当接される分離ローラと、前記用紙を搬送する際に、該用紙の、前記外周面が当接する面と反対の面に接触する弾性を有するパッドと、前記分離ローラに対して近接・離反する方向に移動可能な部材であり、前記パッドを支持するホルダと、前記パッドが前記分離ローラの外周面に接する方向に前記ホルダを付勢する付勢手段と、を備え、前記分離ローラを回転させることにより、前記積載された用紙を１枚ずつ分離して搬送する給紙装置において、前記ホルダは、前記搬送時に前記パッドと前記分離ローラとで前記用紙を挟持する加圧位置よりも前記搬送の方向において下流側に配置され、前記パッドを支持する支持手段と、前記加圧位置よりも前記搬送の方向において上流側に形成され、前記パッドの前記用紙と接触する面と反対の面を当該ホルダから浮いた状態にする凹部とを備えたことを特徴とする。
【０００８】
このように構成された給紙装置によれば、凹部が形成されていることにより、用紙に押されたパッドが凹んで凹部に入り込む。これにより、仮に複数枚の用紙がパッドと分離ローラの間に入り込んでも、それらの用紙はパッドの凹んだ部分に止められ、分離ローラにより、一番上の１枚のみが搬送される。従って重送を発生し難くすることができる。
【０００９】
ところで、当該給紙装置のユーザー等が、ジャム状態において用紙を強引に引っ張った場合などに、パッドが支持手段からめくれ上がってしまうことがある。これでは、パッドの性能が低下して重送を再発する原因になる虞がある。この問題は請求項２のようにすると解決される。
【００１０】
すなわち、請求項２に記載の本発明は、請求項１に記載の給紙装置において、前記支持手段が、前記パッドを載置する前記ホルダの載置面に突設された鉤部であり、  前記パッドが、前記鉤部に整合する位置に形成された穴を有することを特徴とする。
【００１１】
このように構成された給紙装置によれば、パッドが支持手段から離反することが、鉤部（支持手段）とパッドに形成された穴とにより規制されるため、パッドがめくり上がるのが防止される。
【００１２】
請求項３に記載の本発明は、請求項１または２に記載の給紙装置において、前記支持手段が、前記パッドを粘着支持することを特徴とする。
このように構成された給紙装置によっても、パッドが支持手段に粘着支持されているので、パッドが支持手段からめくれ上がるのが防止される。
【００１３】
請求項４に記載の本発明は、請求項１から３の何れかに記載の給紙装置において、前記パッドが、前記用紙と接触する面と反対の面に当該パッドの剛性を高くする膜状部材が貼着されたことを特徴とする。
【００１４】
このように構成された給紙装置によれば、パッドの特性（用紙との摩擦係数、凹部への凹み具合など）を変えることなく、パッドの剛性を膜状部材により向上させることができる。パッドの剛性を増すことにより、めくれ上がりを防止することができる。
【００１５】
請求項５に記載の本発明は、請求項１から４の何れかに記載の給紙装置において、前記凹部に関して前記支持手段の反対側に形成され、前記パッドの前記用紙と接触する面と反対の面に接触し支持する接触部を備えたことを特徴とする。
【００１６】
このように構成された給紙装置によれば、パッドが、凹部の両側にある支持手段と接触部とにより支持されるのでパッドの剛性が低くても、パッドを用紙の分離・搬送を行うのに支障のない姿勢にすることができる。また、パッドの剛性を低くすることにより、パッドが凹部へ凹み易くなり、重送が一層発生しにくくなる。
【００１７】
請求項６に記載の本発明は、請求項１から５の何れかに記載の給紙装置において、前記ホルダは、前記搬送の方向において、前記加圧位置よりも下流側に揺動支点を有し、前記分離ローラに対して近接・離反する方向に揺動可能であることを特徴とする。
【００１８】
このように構成された給紙装置によれば、ホルダの揺動支点が加圧位置よりも搬送方向の下流にあるので、揺動支点は、上流側に配置される場合に比べ、上流側に位置する用紙トレーにより配置位置が制限されることはなく、加圧位置から比較的大きな間隔を開けて配置される。このため、給紙の際に、用紙が接触するパッドの面が変動することが少なく、用紙の分離動作が安定する。また、揺動支点が上流側に配置される場合には、用紙トレーの配置位置を避けるために、揺動支点と加圧位置との間隔を必要以上に大きくする必要があり、給紙装置全体が大型になる問題があるが、本発明にはかかる問題がなく、本発明は給紙装置を小型化するのに有効である。更に、本発明は、揺動支点が加圧位置より下流側に配置されることで、用紙・パッド間の摩擦がパッドを用紙に押さえつける方向のモーメントとなって働く。これにより用紙はより強くパッドに（ひいては分離ローラに）押さえ付けられることとなり、重送を防ぐ効果が増大する。
【００１９】
請求項７に記載の本発明は、請求項１から６の何れかに記載の給紙装置において、積載された用紙を保持する用紙トレーと、用紙の搬送方向における先端部が当接する当接壁とを有し、該当接壁が用紙と当接する面である当接面が、搬送方向に対して該搬送の下流側が低くなるように傾斜していることを特徴とする。
【００２０】
このように構成された給紙装置によれば、用紙がその自重で分離ローラと当接面との間に入っていくことになるので、従来行われていたように当接面が搬送方向の下流側が高くなるように配置されて、圧板８９（図９参照）が用紙を押す、といったことは不要となり、給紙装置を小型化できる。尚、当接面は、例えば用紙の幅方向の全体に亘るものである必要はなく、後述する請求項９のように部分的に形成されたものでもよい。この場合には当接面が複数形成されてもよい。
【００２１】
請求項８に記載の本発明は、請求項７に記載の給紙装置において、前記パッドの、用紙と接触する面は、水平方向に対して搬送方向に沿って該搬送の下流側が低くなるように傾斜し、前記当接壁の前記当接面は、前記パッドの、用紙と接触する面より水平方向に対して小さな角度で搬送方向に沿って傾斜することを特徴とする。
【００２２】
このように構成された給紙装置によれば、当接面から分離ローラにより搬送された用紙が、確実にパッドの面に当接されることになるので、重送を防止する効果が着実に発揮される。
【００２３】
請求項９に記載の本発明は、請求項７または８に記載の給紙装置において、前記当接面は、前記当接壁の、前記分離ローラに対向しない位置から突設されたものであり、且つ該当接面の端部は、前記分離ローラの外周面よりも該分離ローラの中心方向に突出して形成されていることを特徴とする。
【００２４】
このように構成された給紙装置によれば、分離ローラが回転していない状態を仮想すると、用紙は、当接面の端部が分離ローラの外周面よりも分離ローラの中心方向に突出していることから、当接面と分離ローラとの間で一旦停止する。ここから分離ローラが回転されると、分離ローラの、当接面が形成された側の端部（当接面が分離ローラの両側に形成されている場合は両端）に用紙が当接面により押さえつけられる形となり、強い搬送力が生み出される。
【発明の効果】
【００２５】
上述のように本発明の給紙装置は、重送を発生し難くすることができる。
そして、ユーザーが用紙を引っ張った際等にパッドがめくり上がるのが防止される。
また、パッドの特性（用紙との摩擦係数、凹部への凹み具合など）を変えることなく、パッドの剛性が膜状部材により向上される。
【００２６】
そして、パッドの剛性が低くても、パッドが、用紙の分離・搬送を行うのに支障のない姿勢となる。また、パッドの剛性が低くされることにより、パッドが凹部へ凹み易くなり、重送が一層発生しにくくなる。
【００２７】
また、ホルダの揺動支点が加圧位置よりも搬送方向の下流にあるので、重送を防ぐ効果が増大する。
そして、用紙がその自重で分離ローラと当接面との間に入っていくことになるので、従来行われていたように当接面を搬送方向の下流側が高くなるように配置して、圧板８９（図９参照）が用紙を押す、といったことは不要となり、給紙装置を小型化できる。
【００２８】
また、当接面から分離ローラにより搬送された用紙が、確実にパッドの面に当接されるので、重送を防止する効果が着実に発揮される。
そして、当接面の端部が分離ローラの外周面よりも分離ローラの中心方向に突出しているので、分離ローラが回転していない状態で記録紙を安定に保持できる。
【発明を実施するための最良の形態】
【００２９】
以下、本発明の実施の形態を示す実施例が、図１〜図５に基づいて説明される。まず、図１は、本発明が適用された給紙装置としてのファクシミリ装置１の内部構造を表す中央断面図である。ファクシミリ装置１の本体ケース２の一側には、図示しない受話器が配置されている。上面開放状の本体ケース２の上面を覆う上カバー体４は、その後端の回動支点４ａを中心にして本体ケース２の上部後端に上下回動可能に枢着されている。上カバー体４の上面前部側には、キースイッチ６ａや液晶表示装置６ｂなどを有する操作パネル６が設けられている。また、本体ケース２の上面後部には記録紙５を斜め下向き状の立てた状態で積層して載置するための給紙台３が、上カバー体４の後部に対して回動可能に設けられ、本体ケース２の上面前後中途部には原稿台８が装着されている。
【００３０】
図１に示すファクシミリ装置１において用紙台３に載置された記録紙５は、合成ゴム製の分離ローラ１１を回転させることにより１枚ずつ給紙される。用紙台３に載置された記録紙５は、用紙台３に形成された当接壁９に当接し、その一部は分離ローラ１１の外周面１１ａに当接することにより、斜めに傾いた姿勢を保っている。分離ローラ１１の斜め下方（図１では左下）にはシリコンゴム製の分離パッド１３が配置されており、これがホルダ１５に取り付けられている。ホルダ１５は図１において右位置を揺動支点Ｐとして揺動可能にされており、コイルバネ１７により付勢を受けている。これにより、分離パッド１３が分離ローラ１１に密着するように構成されている。このような給紙装置により給紙された記録紙５は、リボン１９に塗布されたインクが記録ヘッド２１により転写されることにより画像が形成され、上方へ迂回して矢印２３のように排出される。なお、矢印２５は原稿の搬送経路を示している。
【００３１】
図２は、分離パッド１３およびホルダ１５の説明図である。図２（ａ）は分離パッド１３の中央断面図であり、図２（ｂ）はホルダ１５の中央断面図である。分離パッド１３は板状部材であり、その右端部からやや内側には貫通孔３１が形成されている。なお、平面形状は長方形となっており、貫通孔３１は長穴となっている。
【００３２】
一方、ホルダ１５は、分離パッド１３が載置される載置面１５ａに突起３７を有しており、この位置が分離パッド１３の貫通孔３１に整合するようにされている。つまり、突起３７は図２（ｂ）に垂直な方向に伸びた形状をしている。
【００３３】
載置面１５ａは図２（ｂ）において左方へ行くに連れて低くなり、凹部３３が形成されている。凹部３３の更に左方には、載置面１５ａと同一の高さにされた接触部３５が形成されている。載置面１５ａの右方には鉤部３９が形成されている。
【００３４】
分離パッド１３が載置面１５ａに取り付けられるには、まず分離パッド１３の右端部が鉤部３９に入れられ、貫通孔３１に突起３７が通される。そして分離パッド１３の左端部が接触部３５に置かれる。こうすると分離パッド１３は、接触部３５と載置面１５ａとにより安定した状態に載置され、しかも分離パッド１３の右端部は鉤部３９によって容易に載置面１５ａから上方へ離脱しないようにされている。また分離パッド１３の左右方向は突起３７によって規定されている。分離パッド１３がホルダ１５に支持された状態で、本図の右方向に分離パッド１３が引っ張られると、突起３７により分離パッド１３は支持され、分離パッド１３は容易にホルダ１５からは外れない。本図の左方向に分離パッド１３が引っ張られると、分離パッド１３の突起３７から右の部分が上方へめくれ上がろうとする。この上方への動きが鉤部３９により規制されるので、分離パッド１３は容易にホルダ１５からは外れない。凹部３３は分離パッド１３の下に形成される隙間となる。
【００３５】
以上のような給紙装置により記録紙５が給送される様子が図３に示される。まず記録紙５が用紙台３に置かれた状態では、記録紙５の自重により記録紙５は当接壁９と分離ローラ１１の間に整然と位置する（図３（ａ））。この状態から分離ローラ１１が回転されると、従来と同様、複数枚の記録紙５が分離パッド１３に突入する（図３（ｂ））。この結果、複数枚の記録紙５が分離パッド１３と分離ローラ１１の間に入り込むが、分離パッド１３が凹部３３に向かって凹むことにより、ホルダ１５が揺動することなく複数枚の記録紙が止められる（図３（ｃ））。こうして止められた複数枚の記録紙５は、分離パッド１３に止められて１枚ずつ分離されて搬送される（図３（ｄ））。従って重送が防がれる。
【００３６】
図４（ａ）は図１の上部を拡大した図、図４（ｂ）は図４（ａ）のＢ部を更に拡大した図である。当接壁９が記録紙５と当接する面である当接面９ｂは、その傾斜がファクシミリ装置１の設置面（通常、水平面）に対して搬送方向の下流側が低くなるようにαだけ傾斜されている。これにより、記録紙５が自重で当接壁９に接するので圧板８９（図９参照）や圧板８９を押すコイルバネ９９（図９参照）などの付勢機構が不要となる。そして分離パッド１３の、記録紙５と接触する面は、水平方向に対して搬送方向に沿って該搬送の下流側が低くなるように傾斜し、当接壁９は、分離パッド１３の、記録紙５と接触する面より水平方向に対して小さな角度で搬送方向に沿って傾斜している。これにより、当接壁９から分離ローラ１１により搬送された記録紙５が、確実にパッドの面に当接されるので、重送を防止する効果が着実に発揮される。
【００３７】
当接壁９の端部９ａは、分離ローラ１１の外周面１１ａよりも分離ローラ１１の中心方向へとめり込んだような配置となっている。図５を用いて後述するように当接壁９は、分離ローラ１１の両脇に配置されているため、当接壁９の端部９ａが分離ローラ１１と干渉する心配はない。そしてこの配置・形状により、記録紙５が用紙台３に大量に置かれても、当接壁９の端部９ａと分離ローラ１１との隙間から記録紙５がこぼれ落ちることもない。また、端部９ａが記録紙５を分離ローラ１１の端面に押さえ付ける形となるので、分離ローラ１１が記録紙５を搬送する力が十分に確保される。
【００３８】
図５はファクシミリ装置１の給紙装置１０の説明図である。図５（ａ）は給紙装置１０の斜視図、図５（ｂ）は給紙装置１０の平面図である。当接壁９は、幅方向（図５（ｂ）の左右方向）に亘って形成されているのではなく、分離ローラ１１の両脇に形成された当接壁９と、用紙台３の両端付近に形成された当接壁４１の計４個から成る小型のリブ状の部材である。
【００３９】
また、分離パッド１３は先端（図２の左端部）を接触部３５により支えられているので、分離パッド１３の剛性は高くなくてもよく、十分に凹部３３に沈み込む程度の剛性で構わない。その一方で、分離パッド１３の右端部は鉤部３９および突起３７にてしっかりと支えられているので、例えば、ユーザーが搬送途中の用紙を強引に引っ張っても、分離パッド１３がめくれ上がるのが防止される。
【００４０】
また、ホルダ１５の揺動支点が加圧位置Ｑ（図３参照）よりも搬送方向の下流にあるので、記録紙５・分離パッド１３間の摩擦が分離パッド１３を用紙に押さえつける方向のモーメントとなって働く。これにより記録紙５は、より強く分離パッド１３に（ひいては分離ローラ１１に）押さえ付けられることとなり、重送を防ぐ効果が増大する。
【００４１】
ここで本実施例と本発明の構成要件との対応関係を示す。分離パッド１３が本発明のパッドに相当し、コイルバネ１７が本発明の付勢手段に相当し、記録紙５が本発明の用紙に相当し、用紙台３が本発明の用紙トレーに相当し、突起３７、鉤部３９が本発明の支持手段に相当する。
【００４２】
以上、本発明の実施の形態が説明されたが、本発明はこれに限定されるものではなく、様々な態様にて実施することができる。例えば、本発明の給紙装置はファクシミリ装置１として構成されたが、コピー機やプリンタとして実現されても構わない。
【００４３】
また、分離パッド１３の裏面（載置面１５ａに接する側の面）に図６に示すような膜状部材５１が貼着されてもよい。こうすれば、分離パッド１３の特性を変えることなく、分離パッド１３の剛性が向上される。分離パッド１３の剛性が増えることにより、めくれ上がりが防止される。なお、膜状部材５１はＰＥＴ製とすることが考えられる。また、図６に示すように凹部３３に張り出す部分１３ａに膜状部材５１が貼着されないようにすれば、凹部への分離パッド１３の凹み具合が損なわれない。
【００４４】
また、突起３７が図７（ｂ）のような形状の物であってもよい。図７（ａ）は突起３７を変更したホルダ１５の中央断面図であり、図７（ｂ）は図７（ａ）のＡ−Ａ矢視図である。この突起５５は、上端両側に鉤部５５ａを有しているので、突起５５が貫通孔３１に差し込まれると簡単には分離パッド１３がホルダ１５から外れなくなる。こうすると鉤部３９がなくてもめくれ上がりが防止される。また、こうした分離パッド１３やホルダ１５に対するめくれ上がり防止の対策をするのに代えて（或いはこれらに加えて）分離パッド１３が粘着剤などでホルダ１５に固定されてもよい。このようにしても分離パッド１３のめくれ上がりが防止される。この態様では、鉤部５５ａ、粘着剤が本発明の支持手段に相当する。
【００４５】
また、ホルダーが図８に示すような形状の物であってもよい。図８（ａ）は別態様のホルダ６０の斜視図であり、図８（ｂ）はホルダ１３の正面図であり、図８（ｃ）は図８（ｂ）のＦ−Ｆ矢視図であり、図８（ｄ）は図８（ｃ）のＨ部を拡大した図である。尚、図８（ｃ）では分離ローラ１１も図示されている。このホルダー１３では、突起６２が揺動支点Ｐの方向に屈曲されている。この突起６２が貫通孔３１を通り、屈曲部分にて分離パッド１３がめくれ上がらないように分離パッド１３を押さえる。突起６２の斜面Ｋは、分離パッド１３の表面１３ｂよりも下の点Ｊから始まっている。これにより、搬送された記録紙５が突起６２に衝突するのを防止している。また、ホルダ６０の両側にはリブ６４が形成されている。リブ６４の高さは図８（ｄ）に示すように突起６２と同じにされている。これにより、突起６２により上方に押され、これにより突起６２の両側で下方に記録紙５が反り返るのを防いでいる。
【図面の簡単な説明】
【００４６】
【図１】本発明が適用されたファクシミリ装置の内部構造を表す中央断面図である。
【図２】ホルダおよび分離パッドの説明図である。
【図３】用紙の重送が防止される様子を示す説明図である。
【図４】当接面の作用を説明するためのファクシミリ装置の中央断面図である。
【図５】用紙トレーの説明図である。
【図６】他の実施形態の分離片の説明図である。
【図７】他の実施形態のホルダの説明図である。
【図８】他の実施形態のホルダの説明図である。
【図９】従来のファクシミリ装置の中央断面図である。
【図１０】従来のファクシミリ装置において用紙の重送が発生する様子を示す説明図である。
【符号の説明】
【００４７】
１…ファクシミリ装置    ３…用紙台
５…記録紙              ９、４１…当接壁
１１…分離ローラ        １７…コイルバネ
１１ａ…外周面          １３…分離パッド
１５、６０…ホルダ      ３１…貫通孔
３３…凹部              ３５…接触部
３７…突起              ５１…膜状部材
Ｐ…揺動支点            Ｑ…加圧位置
【図１】
2005255385.tif 000003
【図２】
2005255385.tif 000004
【図３】
2005255385.tif 000005
【図４】
2005255385.tif 000006
【図５】
2005255385.tif 000007
【図６】
2005255385.tif 000008
【図７】
2005255385.tif 000009
【図８】
2005255385.tif 000010
【図９】
2005255385.tif 000011
【図１０】
2005255385.tif 000012